(57)【要約】【課題】複雑な設計を要することなく、光源付近の輝度が高くなりすぎることを防止し、輝度を均一化できる面光源装置を提供する。【解決手段】反射シート１１と、反射シート１１の上方に位置する中空部１２と、中空部１２の少なくとも一側端部に配置された光源１３と、中空部１３の上方に配置された光学シート１５とを備えてなり、反射シート１１の光源１３側の端部および、中空部１２上の前記端部に対応する箇所の略全面に、光吸収部１６１、１６２を有するように構成する。【選択図】図１
2011159600.tif 000002
【特許請求の範囲】
【請求項１】
反射シートと、前記反射シートの上方に位置する中空部と、前記中空部の少なくとも一側端部に配置された光源と、前記中空部の上方に配置された光学シートとを備えてなり、
前記反射シートの光源側の端部および、前記中空部上の前記端部に対応する箇所の略全面に、光吸収部を有することを特徴とするエッジライト型面光源装置。
【請求項２】
前記光学シートがプリズムシート及び／又は光拡散シートであることを特徴とする請求項１記載のエッジライト型面光源装置。
【請求項３】
請求項１又は２記載のエッジライト型面光源装置の光学シート上に、光透過性の印刷物を配置してなることを特徴とする電飾看板。
【発明の詳細な説明】
【技術分野】
【０００１】
本発明は、軽量化を可能としたエッジライト型の面光源装置、およびこれを用いた電飾看板に関する。
【背景技術】
【０００２】
面光源装置の方式は、直下型とエッジライト型に大別される。ランプを画面直下に配置する直下型は導光板がないためエッジライト型よりも軽いが、厚みが増してしまう問題がある。一方、ランプを横に配置するエッジライト型は、直下型よりも装置自体を薄くできるが、画面を大型化すると光量確保のため導光板の厚みが必要になり、また面積も大きくなるため重くなってしまうという問題がある。
【０００３】
そこで、近年、厚みを薄くしながら、重さを抑える面光源装置として、導光板をなくしたエッジライト型の面光源装置が提案されている（特許文献１）。
【先行技術文献】
【特許文献】
【０００４】
【特許文献１】特開平６−２５０１７５号公報（段落番号００１５）
【発明の概要】
【発明が解決しようとする課題】
【０００５】
一般的に、エッジライト型の面光源装置では、導光板の背面にドットパターンを施すことにより、面内での輝度の均一化を図っている。
【０００６】
しかし、特許文献１のエッジライト型面光源装置は、導光板を有さないものである。このため、反射面に綿密に設計された凸曲面処理により輝度の均一化を図っているが、複雑な設計が必要になるという問題があった。
【０００７】
また、近年、面光源装置の光源としてＬＥＤの採用が進んだ結果、面内での輝度差はより顕著な問題となってきている。
【０００８】
そこで、本発明は、複雑な設計を必要とすることなく、輝度の均一化を図ることができる導光板レスのエッジライト型面光源装置を提供することを目的とする。
【課題を解決するための手段】
【０００９】
上記課題を解決する本発明のエッジライト型面光源装置は、反射シートと、前記反射シートの上方に位置する中空部と、前記中空部の少なくとも一側端部に配置された光源と、前記中空部の上方に配置された光学シートとを備えてなり、前記反射シートの光源側の端部および、前記中空部上の前記端部に対応する箇所の略全面に、光吸収部を有することを特徴とするものである。
【００１０】
また、本発明のエッジライト型面光源装置は、好ましくは、前記光学シートがプリズムシート及び／又は光拡散シートであることを特徴とするものである。
【００１１】
また、本発明の電飾看板は、本発明のエッジライト型面光源装置の光学シート上に、光透過性の印刷物を配置してなることを特徴とするものである。
【発明の効果】
【００１２】
本発明のエッジライト型面光源装置によれば、複雑な設計を要することなく、光源付近の輝度が高くなりすぎることを防止し、輝度を均一化することができる。
【図面の簡単な説明】
【００１３】
【図１】本発明のエッジライト型面光源装置の一実施例を示す断面図
【図２】本発明のエッジライト型面光源装置の他の実施例を示す断面図
【図３】本発明の電飾看板の一実施例を示す断面図
【発明を実施するための形態】
【００１４】
本発明のエッジライト型面光源装置は、反射シートと、前記反射シートの上方に位置する中空部と、前記中空部の少なくとも一側端部に配置された光源と、前記中空部の上方に配置された光学シートとを備えてなり、前記反射シートの光源側の端部および、前記中空部上の前記端部に対応する箇所の略全面に、光吸収部を有することを特徴とするものである。以下、各構成要素の実施の形態について説明する。
【００１５】
図１は、本発明のエッジライト型面光源装置１の実施の形態を示す断面図である。図１に示すエッジライト型面光源装置１は、反射シート１１と、反射シートの上方に位置する中空部１２と、中空部の側端部に配置された光源１３と、光源を収納するハウジング１４と、中空部１２の上方に配置された光学シート１５とから構成されている。また、反射シート１１の光源１３側の端部および、中空部１２上の前記端部に対応する箇所の略全面に、光吸収部１６１、１６２が形成されている。
【００１６】
反射シートは光源から下方に向いた光を上方に反射する役割を有するものである。このような反射シートとしては、プラスチックフィルムに銀などの金属を蒸着した金属反射タイプのもの、プラスチックフィルム中に気泡や白色顔料を含有する白色反射タイプのものがあげられる。本発明では、いずれのタイプも用いることができるが、白色反射タイプが好適に使用される。本発明では導光板がないため、反射フィルムの材質感が視認者に感じられやすいが、白色反射フィルムを用いることにより材質感を感じさせにくくすることができ、また、白色反射フィルムは表面拡散するため輝度の均一化にも貢献することができる。反射シートの厚みは、通常３０μｍ〜１．５ｍｍ程度である。
【００１７】
反射シートの光源側の端部には光吸収部１６１が形成される（図１、２）。本発明では、反射シートの光吸収部１６１と、後述する中空部上の光吸収部１６２とによって、複雑な設計を要することなく、光源付近の輝度が高くなりすぎることを防止し、輝度を均一化することができる。なお、反射シートの光源を有しない側の端部に光吸収部を設けると当該側の輝度の低下を招くため、当該側には光吸収部を設けないことが好ましい。
【００１８】
反射シート１１上の光吸収部１６１の幅ｂは、反射シート１１の幅ａの５〜２０％であることが好ましく、１０〜１５％であることがさらに好ましい（図１）。５％以上とすることにより、光源付近の輝度が高くなりすぎることを効果的に防止することができ、２０％以下とすることにより、面光源装置の有効幅を必要以上に狭くすることを防止できる。
【００１９】
中空部は、従来導光板が位置していた部分である。当該部分から導光板を除き、中空部（空気）としたことから、面光源装置の重量を軽くすることができる。中空部の厚みは光源を収納するハウジングの高さに依存するが、１０〜３０ｍｍ程度とすることが好ましい。
【００２０】
中空部１２上の、反射シート１１の光吸収部１６１に対応する箇所の略全面には、光吸収部１６２が形成される（図１、２）。本発明では、中空部上の光吸収部と、上述した反射シートの光吸収部とによって、複雑な設計を要することなく、光源付近の輝度が高くなりすぎることを防止し、輝度を均一化することができる。
【００２１】
中空部１２上の光吸収部１６２は、反射シート１１の光吸収部１６１に対応する箇所の略全面に形成されるが、ここでいう略全面とは１００％の一致を言わない。中空部１２上の光吸収部１６２は、反射シート１１の光吸収部１６１の面積の８０〜１２０％であることが好ましく、１００〜１１０％であることが好ましい。
【００２２】
中空部上の光吸収部１６２の光源と離れた側の端部と、反射シート上の光吸収部１６１の光源と離れた側の端部とは、位置を一致させることが好ましい（図１、２）。しかし、完全に一致させなくても、反射シート上の光吸収部の端部の位置の方が光源側に若干寄っているなどしても良い。
【００２３】
また、中空部上の光吸収部１６２の光源側の端部と、反射シート上の光吸収部１６１の光源側の端部とは、位置を一致させることが好ましい（図２）。しかし、完全に一致させなくても、反射シート上の光吸収部１６１の光源側の端部の位置の方が若干光源に近くても良いし（図１）、反射シート上の光吸収部１６１の光源側の端部の位置の方が若干光源から遠くても良い（図示せず）。
【００２４】
中空部上の光吸収部１６２のバックライト内での高さ方向の位置は、光学シート上であってもよいし（図１）、光学シートどうしの間であってもよいし（図２）、中空部と光学シートとの間であってもよい（図示せず）。
【００２５】
反射シート上および中空部上の光吸収部は、反射シート・光学シート・シャーシ等に、カッティングした遮光シートを単に重ね合わせたりあるいは貼り付けたり、遮光塗料を塗布乾燥したりすることなどにより形成できる。遮光シートおよび遮光塗料は黒色のものが好適である。
【００２６】
光吸収部は、輝度の均一化を図るため、光沢度（ＪＩＳ  Ｚ８７４１：１９９７、入射受光角６０°）が５％以下のものを用いることが好ましい。光沢度は、光吸収部を形成する黒色顔料、マット剤、バインダー樹脂の重量比率や黒色顔料、マット剤の粒子径等により調整することができる。
【００２７】
光源は中空部の少なくとも一側端部に配置されるものである。配置箇所は側端部のうち一つでもよいし、全部であっても良い。一つの側端部における光源の数は一つであっても良いし、複数であっても良い。
【００２８】
光源の種類としては、冷陰極管やＬＥＤがあげられる。本発明ではＬＥＤのような高輝度光源を用いても、輝度の均一化を図ることができる。なお、光を有効に利用するため、光源はハウジングやランプリフレクタ等で覆うことが好ましい。
【００２９】
中空部の上方に設置する光学シートとしては、プリズムシートなどの輝度向上シート、光拡散性シートなどがあげられる。輝度向上シートや光拡散性シートとしては、従来公知のものを用いることができる。
【００３０】
光学シート上には、プラスチック板、ガラス板などの透明板を設置することが好ましい。
【００３１】
上述した反射シート１１、中空部１２、光源１３、ハウジング１４、光学シート１５は、シャーシ１７内に収納、固定して用いることが好ましい（図１）。なお、シャーシに遮光性を備えさせることにより、シャーシに中空部上の光吸収部１６２の機能を兼ね備えたものとすることができる。
【００３２】
次に、本発明の電飾看板３は、本発明のエッジライト型面光源装置１の光学シート１５上に、光透過性の印刷物２を配置してなることを特徴とするものである。
【００３３】
図３は本発明の電飾看板３の実施の形態を示す断面図である。図３の電飾看板は、エッジライト型面光源装置１の光学シート１５上に、光透過性の印刷物２を有する構成となっている。
【００３４】
エッジライト型面光源装置としては、上述した本発明のエッジライト型面光源装置を用いることができる。
【００３５】
光透過性の印刷物は、透明または半透明の光透過性を有する記録材料に画像を形成したものを用いることができる。光透過性を有する記録材料は従来公知のもの、画像の形成は従来公知の方法を用いることができる。
【００３６】
光透過性の印刷物上には、プラスチック板、ガラス板などの透明板を設置することが好ましい。また、上述したエッジライト型面光源装置、光透過性の印刷物、透明板は、図示しない筐体内に収納、固定して用いることが好ましい。
【実施例】
【００３７】
以下、実施例により本発明を更に説明する。
【００３８】
［実施例１］
縦５８ｃｍ×横８３ｃｍ×高さ１．８ｃｍの上面が全開放されたアルミ製シャーシを準備した。次いで、シャーシの底部に、縦５０ｃｍ×横７５ｃｍにカットした厚み１８８μｍの反射シート（東レ社：Ｅ６０Ｌ）を設置した。次いで、反射シートの長辺側の両端部に、遮光シート（きもと社：カーボンフェザー100X2B、光沢度：２．０％）を６ｃｍの幅にカットして貼り合わせ、光吸収部を形成した。次いで、反射シートの長辺側の両端部に、ハウジングに収納された白色ＬＥＤ光源（アットキュー社：ＡＴＺ−ＬＥ００４、ハウジング高さ１．５ｃｍ）を８ブロック配置した。なお、用いたＬＥＤ光源は、１ブロックあたり６個のＬＥＤ光源を有してなり、駆動電圧ＤＣ２０Ｖ、１ブロックの消費電力１０５ｍｍＡ、光束７００ルーメンのものである。
【００３９】
次いで、光源のハウジング上に、プリズムシート（住友３Ｍ社：ビキュイティBEF2-T-155n、厚み１５０μｍ）のプリズム側が反射シート側を向くように設置した。ここまでの作業で、反射シートとプリズムシートとの間に、厚み１．５ｃｍの中空部が形成されている。次いで、プリズムシート上に光拡散シート（きもと社：ライトアップPBU、厚み１００μｍ）を設置した。なお、プリズムシートおよび光拡散シートは、反射シートと同様の大きさのものを用いた。次いで、光拡散シートの長辺側の両端部に、遮光シート（きもと社：カーボンフェザー100X2B、光沢度：２．０％）を６ｃｍの幅にカットして貼り合わせ、光吸収部を形成した。次いで、光拡散シート上に、厚み２ｍｍの透明アクリル板を重ね合わせ、実施例１のエッジライト型面光源装置を得た。面光源装置の有効面積は、縦５０ｃｍ×横７５ｃｍから光吸収部を除いた縦３８ｃｍ×横７５ｃｍとなっている。
【００４０】
［比較例１］
反射シート上に遮光部を形成しない以外は実施例１と同様にして、比較例１のエッジライト型面光源装置を得た。
【００４１】
［比較例２］
光拡散シート上に遮光部を形成しない以外は実施例１と同様にして、比較例２のエッジライト型面光源装置を得た。
【００４２】
＜輝度＞
実施例１および比較例１、２のエッジライト型面光源装置について、有効面積（縦３８ｃｍ×横７５ｃｍ）内の９点の輝度を測定した。なお、９つの点は、面光源装置の有効面積で均等間隔になるように決定した。具体的には、縦３８ｃｍ、横７５ｃｍがそれぞれ均等幅となるように３本の線を引き、縦横３本計６本の線が交わる９つの点を測定点とした。また、横７５ｃｍを基準とした３本の線のうちの中心線上の測定点を上から順にＡ、Ｂ、Ｃ、中心線から見て左側の線上の測定点を上から順にＤ、Ｅ、Ｆ、中心線から見て右側の線上の測定点を上から順にＧ、Ｈ、Ｉとした。Ａ〜Ｉ点での輝度の測定結果（単位はｃｄ／ｍ2）を表１に示す。また、実施例１および比較例１、２について、それぞれの最低輝度を最高輝度で除した値（ＭＩＮ／ＭＡＸ）をあわせて表１に示す。
【００４３】
【表１】
2011159600.tif 000003
【００４４】
実施例１の面光源装置は、反射シートの光源側の端部および、中空部上の前記端部に対応する箇所の略全面に光吸収部を有するものである。したがって、測定点Ａ〜Ｉの輝度差が少なく、輝度が均一に近いものであった。
【００４５】
比較例１、２の面光源装置は、反射シートの光源側の端部もしくは中空部上の前記端部に対応する箇所に光吸収部を有さないものである。したがって、測定点Ａ〜Ｉの輝度差が大きい（光源に遠いＢ、Ｅ、Ｈとその他の箇所の輝度差が大きい）ものであった。
【符号の説明】
【００４６】
１・・・・エッジライト型面光源装置
１１・・・反射シート
１２・・・中空部
１３・・・光源
１４・・・ハウジング
１５・・・光学シート
１５１・・プリズムシート
１５２・・光拡散性フィルム
１６１・・光吸収部
１６２・・光吸収部
１７・・・シャーシ
２・・・光透過性の印刷物
３・・・電飾看板
【図１】
2011159600.tif 000004
【図２】
2011159600.tif 000005
【図３】
2011159600.tif 000006